(57)【特許請求の範囲】
【請求項１】
ニードルヘッドに編み糸を周回状に供給しながら前身ごろと後身ごろとを筒状に形成する無縫製タイプのパンツにおいて、
伸縮率の異なる複数の糸を用いて編成され、それぞれの糸が別々のニードルヘッドに周回状に供給されて編み目パターンを形成すると共に、股下部分に編み目を増やすことによってマチ部を形成してなることを特徴とするガードル兼用ニットパンツ。
【請求項２】
前記伸縮率の異なる複数の糸が、伸縮率の大きいゴム糸と、伸縮率の小さいニット糸とを含む請求項１記載のガードル兼用ニットパンツ。
【請求項３】
前記編み目パターンが２種類以上形成され、これら編み目パターンの違いによって編地の伸び率が異なる強圧部と弱圧部とを編成してなる請求項１記載のガードル兼用ニットパンツ。
【発明の詳細な説明】
【０００１】
【発明の属する技術分野】
本発明は、腰部や臀部を引き締めるための機能を備えたガードル兼用ニットパンツに関する。
【０００２】
【従来の技術】
従来から、女性用の下着の一種として、体形を整えるためのガードルが知られている。腰部や臀部を適度に締め付けて体形を整えるタイプのものは、普通の下着用パンツと同じような形状をしており、ゴム糸のような伸縮率の大きい素材で作られることが多い。
【０００３】
【発明が解決しようとする課題】
しかしながら、上記従来のようなゴム糸だけで編成されたガードルパンツは保温性がほとんど考慮されてないために、冬季での使用時にはガードルパンツの上からニットパンツを防寒用として重ねて着用することが多く、腰部や臀部の周りが嵩張ってしまい、ガードルを着用する意味が薄れてしまうと共に、ガードルパンツの上にさらにニットパンツを重ねて着用するのが煩わしいものであった。
【０００４】
そこで、本発明の目的は、従来のようなガードルパンツの上からニットパンツを着用する際の腰周りの嵩張りや煩わしさを解消するためのガードル兼用ニットパンツを提供することである。
【０００５】
【課題を解決するための手段】
上記課題を解決するために、本発明の請求項１に係るガードル兼用ニットパンツは、ニードルヘッドに編み糸を周回状に供給しながら前身ごろと後身ごろとを筒状に形成する無縫製タイプのパンツにおいて、伸縮率の異なる複数の糸を用いて編成され、それぞれの糸が別々のニードルヘッドに周回状に供給されて編み目パターンを形成すると共に、股下部分に編み目を増やすことによってマチ部を形成してなることを特徴とする。
【０００６】
本発明では、伸縮率の異なる複数の糸として、伸縮率が大きいゴム糸と、伸縮率が小さいニット糸とをガードル兼用ニットパンツの素材として利用することができる。
【０００７】
このように、本発明では伸縮率が大きいゴム糸と伸縮率が小さいニット糸とで一定の編み目パターンのニットパンツを形成することによって、編地にはゴムのような強い伸縮性が得られ、それによってガードルとしての機能を付与することができる一方、ニット特有の保温性も同時に確保することができる。
【０００８】
また、本発明では一定の編み目パターンを２種類以上形成し、これら編み目パターンの違いによって編地の伸び率が異なる強圧部と弱圧部とを編成することを特徴とする。このように、編地の伸縮性をニットパンツの部位によって異ならせることで、腰部や臀部を一律に強く締め付けることなく、部分的に強弱を持たせて締め付けることができる。
【０００９】
さらに、本発明のガードル兼用ニットパンツでは股下部分にマチ部を形成することによって、上記のガードルとしての機能の他に、股下部分にゆとり感を持たせることができる。
【００１０】
【発明の実施の形態】
以下、添付図面に基づいて本発明に係るガードル兼用ニットパンツの実施形態を詳細に説明する。ここで、図１は本発明に係るガードル兼用ニットパンツの全体形状を示す斜視図、図２はガードル兼用ニットパンツの編み目パターンを模式的に示す正面図である。また、図３は２種類の編み糸によって、種類の異なる編み目パターンを形成する場合の編み目を示す説明図、図４は股下部分に増やした三角形状のマチ部を股下部分の下から平面状に見た時の説明図である。
【００１１】
この実施形態に係るガードル兼用ニットパンツは、自動編み機の前後一対のニードルヘッドに編み糸を周回状に供給しながら、前身ごろと後身ごろとを筒状に形成する無縫製タイプのパンツである。
【００１２】
図１及び図２に示されるように、この実施形態に係るガードル兼用ニットパンツ１は、２種類の編み糸によって編成され、本体部分２（特に前身ごろ）の中央部と両脇部には強い伸縮性を備えた強圧部３，４が、また前記中央部の両側部と、大腿部分５には前記強圧部３，４より相対的に弱い伸縮性を備えた弱圧部６，７がそれぞれ形成される。これら強圧部３，４及び弱圧部６，７は、使用される２種類の編み糸の編み目パターンの違いによって形成することができる。
【００１３】
使用される２種類の編み糸の例としては、例えば伸縮率の大きいゴム糸と伸縮率の小さいニット糸を用いることができる。伸縮率の大きいゴム糸を用いることで引き締め効果が高まり、前記のガードル兼用ニットパンツ１を着用した時に腰部や臀部を程よい強さで締め付けることができる。使用されるゴム糸の太さは特に限定されるものではないが、概ね１５０〜３００デニールの範囲が好ましい。
【００１４】
一方のニット糸は、セーターやニットパンツなどの編成に使用されている毛糸やアクリル糸など、ごく普通に用いられているものでよい。毛糸やアクリル糸などは、ゴム糸のような伸縮性を有しない代わりに、本発明のガードル兼用ニットパンツ１に優れた保温機能を付与するので、前記ニットパンツを着用した時に腰部や臀部が程よく保温されることになる。
【００１５】
前記のゴム糸とニット糸は、それぞれの糸が別々にニードルヘッドに周回状に供給され、交互に編み目を作っていくことで所定の編み目パターンを形成する。前記図１及び図２に示されるような強圧部３，４と、弱圧部６，７は、例えば図２及び図３に示されるような編み目パターンによって形成することができる。強圧部３，４における編み目パターンは、図３（ａ）に示されるように、周回方向において、ニット糸８を二目ずつ編み、その間にゴム糸９を一目挿入する編み目パターンである。一方、弱圧部６，７における編み目パターンは、図３（ｂ）に示されるように、ニット糸８とゴム糸９とを一目ずつ交互に繰り返す編み目パターンである。この場合、弱圧部６，７では、ニット糸８とゴム糸９は、上段と下段の対応する位置で編み目が一つずつずれるように編み目を作っていく。編地の伸縮性に偏りを出さないためである。なお、本実施形態に係るガードル用ニットパンツ１のウエスト部分１１は、図３（ｃ）に示されるように、ニット糸８とゴム糸９とによるリブ編みで形成される。
【００１６】
このようにして、２種類の編み目パターンで本体部分２（特に前身ごろ）の編地を編成した場合、本体部分２の中心部を形成する強圧部３では、ゴム糸９が二つ置きに編み目が現れるために、一つ置きに編み目が現れる弱圧部６に比べてゴム糸９の伸び率が大きくなる。そのために、中央部では編地の引張り力も大きくなり、このニットパンツ１を着用した時には、下腹部への圧迫感が増して強く引き締めることができる。一方、その両側の弱圧部６の締付け力は相対的に弱くなるので、下腹部への圧迫感は強圧部３ほどは強くない。このように、本実施形態では、下腹部を一律に強く締め付けることなく、引き締めが特に必要な部位を部分的に強く圧迫することができるので、引き締め効果を低下させることなく、下腹部の締め付け過ぎを防止でき、長時間の着用にも苦痛を感じることがないように配慮されている。また、ニットパンツ１の両脇に設けた強圧部４は、腰のラインを引き締めて美しく見せるのに効果がある。なお、大腿部分５は締め付け過ぎによる血行障害がないように弱圧部７で形成されているが、フィット感を出すために下端部のみ図３（ａ）で示したような編み目パターン（強圧部）で形成されるのが望ましい。また、本体部分２の後身ごろを強圧部で形成するか弱圧部で形成するかは、ガードル用ニットパンツ１の多様性に応じて適宜選択することができる。
【００１７】
前記図３に示された編み目パターンは、適宜変えることが可能であり、そうすることによって上記の実施形態とは異なった引張り力をゴム糸８に付与することができる。また、上記の実施形態では２種類の編み目パターンで説明したが、２種類に限定されないこと勿論である。また、上記実施形態における強圧部３，４及び弱圧部６，７の場所や大きさ、形状も、図１及び図２に示されたものに限定されないこと勿論である。
【００１８】
更に、本発明のニードル兼用ニットパンツ１には、図１、図２及び図４に示されるように、股下部分１２にマチ部１３が設けられている。このマチ部１３は、股下部分１２にゆとりを持たせるために、ニットパンツ１の本体部分２と大腿部分５との間に三角形状の編み目を増やしたものである。このマチ部１３によって股下部分１２が立体的になって奥行きが出るため、着用したときに股下部分１２のゆとりとなって現れる。特に、足を開いたときなどに、股下部分１２で引っ張られるような感じをなくすることができる。
【００１９】
このマチ部１３の編み目を増やす方法として、例えば上記のニットパンツ１を無縫製で作る場合を例にとって説明する。先ず、図２に示されるように、本体部分２の下端部１４は、左右外側から内側に向かって次第に編み目を止め保持しながら周回状に編成される。そして、下端部１４から大腿部分５の周回編成に移る前に、図４に示されるように、往復編みによって三角形状の目増やし部（マチ部１３）を股下部分１２に設ける。そして、このマチ部１３を形成した後に、大腿部分５を周回状に編成する。
【００２０】
次に、上記構成からなるガードル兼用ニットパンツ１の編成方法について説明する。本発明に係るニットパンツ１は、ウエスト部分１１又は大腿部分５のどちらからでも編み始めることができる。この実施形態ではウエスト部分１１から編み始める場合について説明する。
【００２１】
ウエスト部分１１は、前述したように、ニット糸８とゴム糸９とをリブ編みすることによって形成される。ウエスト部分１１を編み終わった後、本体部分２を周回編みによって形成する。この本体部分２は、前述したように、ニット糸８とゴム糸９とを自動編み機のニードルヘッドに別々に供給しながら周回状に編成するもので、その両者の編み目パターンによって強圧部３，４と弱圧部６とを形成する。本体部分２を編成した後、マチ部１３および大腿部分５の順で編成する。マチ部１３は、大腿部分５の弱圧部７と同じ編み目パターンによって編成される。後ろ身ごろも同様の編み目パターンで形成される。そして、大腿部分５を周回編成によって形成したのち、最後に伏せ目処理を行なって一枚のガードル兼用ニットパンツ１を完成させる。
【００２２】
【発明の効果】
以上説明したように、本発明に係るガードル兼用ニットパンツによれば、ゴム糸とニット糸とのように、伸縮率の異なる複数の糸を別々のニードルヘッドに供給しながら所定の編み目パターンで編成するようにしたので、ニット糸だけで編成したニットパンツに比べて格段に強い伸縮力が得られ、ガードルとしての機能を十分に発揮させることができる。一方、ゴム糸と共にニット糸が使用されているので、従来のガードルに比べて保温性が優れる。したがって、従来のように、保温性を保持するために、ガードルの上からニットパンツを重ね着する必要がなく、本発明に係るニットパンツを着用するだけで両方の機能を兼用できると言った効果がある。
【００２３】
また、本発明に係るガードル兼用ニットパンツによれば、股下部分にマチ部を設けたので、股下部分が立体的な形状となって奥行きが出るため、着用したときに股下部分のゆとりとなって現れる。
【図面の簡単な説明】
【図１】本発明に係るガードル兼用ニットパンツの全体形状を示す斜視図である。
【図２】本発明に係るガードル兼用ニットパンツの編み目パターンを模式的に示す正面図である。
【図３】２種類の編み糸によって、種類の異なる編み目パターンを形成する場合の編み目を示す説明図である。
【図４】股下部分に増やした三角形状のマチ部を股下部分の下から平面状に見た時の説明図である。
【符号の説明】
１  ガードル兼用ニットパンツ
２  本体部分
３，４  強圧部
５  大腿部分
６，７  弱圧部
８  ニット糸
９  ゴム糸
１２  股下部分
１３  マチ部
【図１】
0003618337.tif 000002
【図２】
0003618337.tif 000003
【図３】
0003618337.tif 000004
【図４】
0003618337.tif 000005